(57)【要約】【課題】レール部材の仮保持性を向上し得る上枠を提供する。【解決手段】上枠２０は、下方開口の凹溝部３１が形成された上枠部材３０と、該上枠部材の凹溝部に嵌合され建具１０を案内する下方開口のレール部材２１と、を備え、前記上枠部材の凹溝部の溝底３２の溝幅方向隅部には、溝幅方向に向けて開口する係合凹部３５が長手方向に沿って形成されており、前記レール部材の幅方向上端角部には、該レール部材の幅方向外方に向けて突出し、前記係合凹部に引っ掛けられる凸片部２４が設けられている。【選択図】図１
2014177747.tif 000002
【特許請求の範囲】
【請求項１】
下方開口の凹溝部が形成された上枠部材と、該上枠部材の凹溝部に嵌合され建具を案内する下方開口のレール部材と、を備え、
前記上枠部材の凹溝部の溝底の溝幅方向隅部には、溝幅方向に向けて開口する係合凹部が長手方向に沿って形成されており、前記レール部材の幅方向上端角部には、該レール部材の幅方向外方に向けて突出し、前記係合凹部に引っ掛けられる凸片部が設けられていることを特徴とする上枠。
【請求項２】
請求項１において、
前記レール部材は、前記凸片部を幅方向の一角部にのみ設けた構造とされ、この凸片部を設けた側とは異なる幅方向側面を、該レール部材の下端側から上端側に向かうに従い幅方向中央側に向けて傾斜する傾斜面としていることを特徴とする上枠。
【請求項３】
請求項１または２において、
前記上枠部材は、前記レール部材の凸片部が引っ掛けられる係合凹部を前記凹溝部の少なくとも溝幅方向一方側隅部に設けた構造とされ、前記レール部材の幅方向一方側部の下側部位を露出させ、かつ該レール部材の幅方向他方側部を覆うように、前記係合凹部が少なくとも設けられた側となる前記凹溝部よりも幅方向一方側部の上下寸法を前記凹溝部よりも幅方向他方側部の上下寸法よりも小さくしていることを特徴とする上枠。
【請求項４】
請求項３において、
前記上枠部材は、前記幅方向一方側部の下面から前記凹溝部の溝底までの上下寸法を前記幅方向他方側部の下面から前記凹溝部の溝底までの上下寸法の１／２以下としていることを特徴とする上枠。
【請求項５】
請求項１乃至４のいずれか１項に記載の上枠と、該上枠のレール部材によって案内される建具と、を備えていることを特徴とする建具装置。
【発明の詳細な説明】
【技術分野】
【０００１】
本発明は、建具を案内するレール部材を備えた上枠及びこれを備えた建具装置に関する。
【背景技術】
【０００２】
従来より、折戸や引戸等の建具が建て付けられる戸枠の上枠には、建具を案内する上レールが設けられている。このような上レールは、建物の壁部に開設された開口部に固定された戸枠の上枠材に対して固定される。しかしながら、上レールを上枠材に固定する際には、比較的に長尺な上レールを下方側から作業者が保持した状態で、その長手方向に間隔を空けてねじ等の止具によって複数箇所を固定する必要があり、改善が望まれていた。
例えば、下記特許文献１では、上枠に設けられた凹溝に下向き開口の上レールを挿入し固定する構造とされた建具用走行装置が提案されている。この建具用走行装置では、上レールの両側壁外面を開口側が広くなる傾斜面とし、上レールの両側壁外面を凹溝の両側壁内面に押圧させることで上レールを上枠に仮保持可能な構造としている。
【先行技術文献】
【特許文献】
【０００３】
【特許文献１】特開２００２−２４２５１９号公報
【発明の概要】
【発明が解決しようとする課題】
【０００４】
しかしながら、上記特許文献１に記載された建具用走行装置では、上枠の凹溝の両側壁内面と上レールの両側壁外面との摩擦抵抗力によって上レールを上枠の凹溝に仮保持させる構造としている。そのため、仮保持状態の安定性の観点から更なる改善が望まれる。
【０００５】
本発明は、上記実情に鑑みてなされたものであり、レール部材の仮保持性を向上し得る上枠及びこれを備えた建具装置を提供することを目的としている。
【課題を解決するための手段】
【０００６】
上記目的を達成するために、本発明に係る上枠は、下方開口の凹溝部が形成された上枠部材と、該上枠部材の凹溝部に嵌合され建具を案内する下方開口のレール部材と、を備え、前記上枠部材の凹溝部の溝底の溝幅方向隅部には、溝幅方向に向けて開口する係合凹部が長手方向に沿って形成されており、前記レール部材の幅方向上端角部には、該レール部材の幅方向外方に向けて突出し、前記係合凹部に引っ掛けられる凸片部が設けられていることを特徴とする。
【０００７】
本発明においては、前記レール部材は、前記凸片部を幅方向の一角部にのみ設けた構造とされ、この凸片部を設けた側とは異なる幅方向側面を、該レール部材の下端側から上端側に向かうに従い幅方向中央側に向けて傾斜する傾斜面とされていてもよい。
また、本発明においては、前記上枠部材は、前記レール部材の凸片部が引っ掛けられる係合凹部を前記凹溝部の少なくとも溝幅方向一方側隅部に設けた構造とされ、前記レール部材の幅方向一方側部の下側部位を露出させ、かつ該レール部材の幅方向他方側部を覆うように、前記係合凹部が少なくとも設けられた側となる前記凹溝部よりも幅方向一方側部の上下寸法を前記凹溝部よりも幅方向他方側部の上下寸法よりも小さくしてもよい。
また、本発明においては、前記上枠部材は、前記幅方向一方側部の下面から前記凹溝部の溝底までの上下寸法を前記幅方向他方側部の下面から前記凹溝部の溝底までの上下寸法の１／２以下としていてもよい。
【０００８】
また、上記目的を達成するために、本発明に係る建具装置は、本発明に係る上枠と、該上枠のレール部材によって案内される建具と、を備えていることを特徴とする。
【発明の効果】
【０００９】
本発明に係る上枠及びこれを備えた建具装置は、上述のような構成としたことで、レール部材の仮保持性を向上させることができる。
【図面の簡単な説明】
【００１０】
【図１】本発明の一実施形態に係る上枠及びこれを備えた建具装置の一例を模式的に示し、図４のＸ−Ｘ線矢視に対応させた一部破断概略縦断面図である。
【図２】（ａ）は、同上枠が備える上枠部材の一例を模式的に示す概略縦断面図、（ｂ）は、同上枠が備えるレール部材の一例を模式的に示す概略縦断面図である。
【図３】（ａ）、（ｂ）は、いずれも、同上枠の施工手順の一例を模式的に示す図１に対応させた一部破断概略縦断面図である。
【図４】同上枠及び同建具装置が施工された状態を模式的に示す概略正面図である。
【発明を実施するための形態】
【００１１】
以下に本発明の実施の形態について、図面に基づいて説明する。
図１〜図４は、本実施形態に係る上枠及びこれを備えた建具装置の一例を模式的に示す図である。
なお、一部の図では、他図に付している詳細な符号の一部を省略している。
【００１２】
本実施形態に係る上枠２０は、図１及び図３に示すように、下方開口の凹溝部３１が形成された上枠部材３０と、この上枠部材３０の凹溝部３１に嵌合され建具１０を案内する下方開口のレール部材２１と、を備えている。
本実施形態に係る建具装置１は、図１及び図４に示すように、この上枠２０と、上枠２０のレール部材２１によって案内される建具１０と、を備えている。本実施形態では、建具装置１は、住居等の建物の内壁に設けられた開口部７に配設される上枠２０を含む戸枠２を備えている。建具１０は、この戸枠２に建て付けられる。
また、本実施形態では、建具１０を折戸１０とし、建具装置１を、二組の折戸１０，１０を備えたものとしている。
【００１３】
また、本実施形態では、上枠２０を含む建具装置１は、図１に示すように、収納室（クローゼット）Ａと、この収納室Ａ外の室内空間や廊下等の反収納室側空間Ｂと、を区画する内壁に設けられた開口部７に配設されるものとしている。
以下では、建具装置１を施工した状態で、反収納室側空間Ｂから建具装置１に対面した状態を基準として、手前側（反収納室側空間Ｂ側）を前方、その逆側（収納室Ａ側）を後方とし、その方向等を原則的に説明する。
【００１４】
開口部７は、正面視して略矩形状とされており、その上側が、横桟やまぐさ等の横架材または該横架材の下面側に固定された飼木（スペーサー材）等からなる上枠下地によって区画されている。また、開口部７は、その開口幅（戸幅）方向両側が、間柱等の柱材または該柱材の開口幅方向内側に固定された飼木（スペーサー材）等からなる左右両側の縦枠下地によって区画されている。また、図例では、開口部７の下側を、床によって区画した例を示している（図４参照）。
【００１５】
戸枠２は、図４に示すように、本実施形態に係る上枠２０の長手方向両側に配設される両側の縦枠３，３と下枠４とをさらに備えている。この戸枠２は、折戸１０，１０によって開閉される出入口９を区画形成する構成とされている。
上枠２０は、開口部７の開口幅方向に沿って長尺状とされている。
なお、上枠２０の詳細については後述する。
両側の縦枠３，３は、互いに略同様の構成とされている。これら両側の縦枠３，３は、開口部７の開口高に応じた長さ寸法とされ、帯板状とされている。これら両側の縦枠３，３の前端部の長手方向略全体には、互いに向き合うように突出し、閉鎖状態とされた各折戸１０，１０の縦枠３，３側の端部を納める突出片部が設けられている。
下枠４は、開口部７の開口幅方向に沿って長尺状とされている。
下枠４には、上方開口の凹溝部５が設けられている。この下枠４の凹溝部５には、各折戸１０，１０の下端側をガイドする上方開口のガイド溝を全長に亘って設けた下レール６が嵌め込まれている。
【００１６】
各折戸１０，１０は、互いに略同様の構成とされている。この折戸１０は、図４に示すように、二枚の戸板１１，１２の連結側端部同士を、羽根蝶番等の蝶番によって折り畳み自在に連結した構成とされている。
これら戸板１１，１２の反連結側端部の上端には、レール部材２１にスライド自在に支持されるランナー部材１３，１３がそれぞれ設けられている。
このランナー部材１３は、図１及び図３に示すように、後記するレール部材２１の案内片２５，２８に沿って転動自在に支持されるローラー１５を備えている。本実施形態では、ランナー部材１３を、各戸板１１，１２の厚さ方向に間隔を空けて２つのローラー１５，１５を備えたものとしている。これらローラー１５，１５は、互いに同軸状とされた略水平軸廻りに回動自在とされている。
また、各ランナー部材１３，１３は、各戸板１１，１２の上端部に設けられたカップ部に連結固定される取付固定部１４，１４を備えており、各戸板１１，１２の上端部の反連結側端部に固定される。これらランナー部材１３，１３は、各戸板１１，１２に対して略垂直軸廻りに回動自在に連結される。
【００１７】
また、本実施形態では、各戸板１１，１２の反連結側端部の下端に、下レール６にガイドされる下部ランナー１６，１６を設けている。
これら下部ランナー１６，１６は、各戸板１１，１２の下端面に下方側に向けて突出するように設けられた軸部と、この軸部の先端に設けられ下レール６のガイド溝に挿入されるガイド部とを備えている。
各下部ランナー１６，１６は、各戸板１１，１２に対して回動自在に連結されたランナー部材１３，１３の略垂直軸と略同軸状に設けられている。
【００１８】
なお、閉鎖状態における各折戸１０，１０の縦枠３，３側にそれぞれ近接する側の各戸板１２，１２の各ランナー部材１３，１３を、それぞれが近接する側の縦枠３，３近傍においてスライド不能とするストッパー等をレール部材２１等に設けるようにしてもよい。また、各戸板１２，１２の各下部ランナー１６，１６を、それぞれが近接する側の縦枠３，３近傍においてスライド不能とする軸受部等を下レール６等に設けるようにしてもよい。このように、各戸板１２，１２の反連結側端部側を、スライド不能とする場合には、ランナー部材１３や下部ランナー１６に代えて、適宜の回動軸を設け、この回動軸を回動自在に保持する軸受部を、レール部材２１や下レール６に設けるようにしてもよい。
【００１９】
上枠２０のレール部材２１と上枠部材３０とは、略同長さ寸法とされている。
レール部材２１は、図１及び図２（ｂ）に示すように、上板部２２と、この上板部２２の幅方向両側縁から垂れ下がるように連成された両側壁部２３，２７と、を備えている。このレール部材２１は、これら上板部２２及び両側壁部２３，２７によって縦断面形状が、下方に向けて開口する略コ字状（略Ｕ字状または略Ｃ字状）とされ、その長手方向両端部は、長手方向外方側に向けて開口している。また、両側壁部２３，２７の下縁部には、当該レール部材２１の幅方向内方側に向けて突出する案内片２５，２８が当該レール部材２１の全長に亘ってそれぞれに設けられている。
また、本実施形態では、両側壁部２３，２７の下縁部に、当該レール部材２１の幅方向外方側に向けて突出する突出片部２６，２９を当該レール部材２１の全長に亘ってそれぞれに設けている。
【００２０】
このレール部材２１のガイド溝となる内方空間に、上記した折戸１０のランナー部材１３，１３のローラー１５，１５がそれぞれ長手方向端部の上記開口から挿入され、収容される。また、このレール部材２１の案内片２５，２８に、ランナー部材１３，１３のローラー１５，１５がそれぞれ当該レール部材２１の長手方向に沿って転動自在に支持される。このような構成によって、折戸１０は、レール部材２１に吊下支持される上吊り構造とされている。
【００２１】
また、本実施形態では、このレール部材２１の幅方向一方側部としての側壁部２３を、収納室Ａ側の後側壁部２３とし、レール部材２１の幅方向他方側部としての側壁部２７を、反収納室側空間Ｂ側の前側壁部２７としている。
また、レール部材２１の幅方向上端角部には、レール部材２１の幅方向外方に向けて突出する凸片部２４が設けられている。
本実施形態では、レール部材２１は、凸片部２４を幅方向の一角部にのみ設けた構造とされている。また、本実施形態では、凸片部２４をレール部材２１の上板部２２と後側壁部２３との角部にのみ設けた例を示している。つまり、本実施形態では、凸片部２４をレール部材２１の上板部２２と前側壁部２７との角部には設けていない。
【００２２】
この凸片部２４は、レール部材２１の全長に亘って設けられている。
また、凸片部２４は、その上面がレール部材２１の上板部２２の上面と連なるように略同一平面状とされている。また、凸片部２４は、その下面が上面と略平行状とされ、その突出方向先端面が上下面に略直交状とされている。つまり、凸片部２４は、縦断面視して略矩形状とされている。図例では、凸片部２４を、レール部材２１の幅方向（凸片部２４の突出方向）に長尺な略矩形状としている。また、この凸片部２４の上下寸法は、本実施形態では、レール部材２１の上板部２２の上下寸法よりも大きい寸法とされている。
【００２３】
また、本実施形態では、図２（ｂ）に示すように、レール部材２１の凸片部２４を設けた側とは異なる幅方向側面、つまり、前側壁部２７の外側面２７ａを、レール部材２１の下端側から上端側に向かうに従い幅方向中央側に向けて傾斜する傾斜面としている。また、本実施形態では、レール部材２１の前側壁部２７の外側面２７ａと同様に、後側壁部２３の外側面２３ａを、レール部材２１の下端側から上端側に向かうに従い幅方向中央側に向けて傾斜する傾斜面としている。つまり、これら外側面２７ａ，２３ａは、これらと上板部２２の上面とをそれぞれ交差させた角度（内角、傾斜角度）が略直角よりも大きくなるように形成されている。本実施形態では、これら前側壁部２７及び後側壁部２３自体を、レール部材２１の上板部２２から離れるに従い拡開する形状とすることで、これらの外側面２７ａ，２３ａを、上記傾斜面としている。
【００２４】
また、本実施形態では、レール部材２１の反凸片部側となる前側壁部２７側の上端に面取り状部を設けた例を示している。図例では、この面取り状部を、Ｃ面取り形状とし、この面取り状部と上板部２２の上面との傾斜角度を上記した前側壁部２７の外側面２７ａの上板部２２の上面に対する傾斜角度よりも、大きくした例を示している。なお、面取り状部としては、このようなものに限られず、Ｒ面取り形状等としてもよい。
【００２５】
また、図例では、上板部２２の下面の幅方向中央に、下方に向けて開口し、ねじ等の止具８の誘いとなる細凹溝（図例では、縦断面略Ｖ字状）を設けた例を示している。なお、このような細凹溝に代えて、下穴等を適宜の間隔を空けて設けた態様としてもよい。
また、このレール部材２１は、アルミニウムやステンレス、炭素鋼等の適宜の金属材料または硬質の合成樹脂系材料から押出成形や鋳造成形、切削加工等によって上記のような形状に一体的に成形されたものとしてもよい。
【００２６】
上枠部材３０の凹溝部３１は、上枠部材３０の全長に亘って設けられている。この凹溝部３１は、上枠部材３０の幅方向略中央に設けられている。また、この凹溝部３１は、下向きの水平面状の溝底３２と、この溝底３２に略直交状とされ互いに略平行状の両側の溝側面３３，３４とによって区画形成されている。
この凹溝部３１の溝底３２に、レール部材２１の上板部２２が当接され、この凹溝部３１の両側の溝側面３３，３４に、レール部材２１の対応する両側壁部２７，２３がそれぞれ当接される。
本実施形態では、上枠部材３０の凹溝部３１よりも幅方向一方側の部位となる幅方向一方側部を、収納室Ａ側の後側部３６とし、凹溝部３１よりも幅方向他方側の部位となる幅方向他方側部を、反収納室側空間Ｂ側の前側部３８としている。この上枠部材３０は、凹溝部３１の上方側部位を含み、その前後の前側部３８及び後側部３６の上面が全面に亘って同一平面状とされている。
また、本実施形態では、上枠部材３０を、図１に示すように、固定された状態で、前端部が内壁の壁面よりも前方側に突出するように配設される固定枠状としている。
【００２７】
また、上枠部材３０の凹溝部３１の溝底３２の溝幅方向隅部には、図１及び図２（ａ）に示すように、溝幅方向に向けて開口する係合凹部３５が長手方向に沿って形成されている。
この係合凹部３５は、上枠部材３０の全長に亘って設けられている。
また、係合凹部３５は、凹溝部３１の溝底３２に連なる天面と、凹溝部３１の溝中心に向く側面と、凹溝部３１の溝底３２に向く底面とによって区画形成されている。また、この係合凹部３５は、縦断面視矩形状とされている。
この係合凹部３５は、上記したレール部材２１の凸片部２４が引っ掛け可能なように形成されている。
【００２８】
本実施形態では、上枠部材３０は、図２（ａ）に示すように、レール部材２１の凸片部２４が引っ掛けられる係合凹部３５を凹溝部３１の少なくとも溝幅方向一方側隅部に設けた構造とされている。本実施形態では、レール部材２１の後側壁部２３側にのみ設けられた凸片部２４に対応させて、係合凹部３５を上枠部材３０の後側部３６側にのみ設けている。
また、本実施形態では、レール部材２１の後側壁部２３の下側部位を露出させ、かつレール部材２１の前側壁部２７を覆うように、係合凹部３５が少なくとも設けられた側となる後側部３６の上下寸法ｔ２を、前側部３８の上下寸法ｔ１よりも小さくしている。つまり、上枠部材３０は、その凹溝部３１よりも後側の部位の下側部位が欠如されたような形状とされ、後側部３６の下面３７が前側部３８の下面３９よりも上方に位置する構成とされている。
このような構成により、上枠部材３０の係合凹部３５の下方側には、凹溝部３１の溝中心に向けて突出するような比較的に上下寸法の小さい突出片部が形成されることとなる。図例では、この突出片部の上下寸法を、係合凹部３５の幅寸法（天面と底面との間の寸法）及びレール部材２１の凸片部２４の上下寸法よりも小さくしている。また、上記のような構成により、上枠部材３０の後側部３６の下方側には、前側部３８との上下寸法差に応じた空間が形成される。
【００２９】
また、本実施形態では、後側部３６の下面３７から凹溝部３１の溝底３２までの上下寸法ｄ２を前側部３８の下面３９から凹溝部３１の溝底３２までの上下寸法ｄ１の１／２以下としている。
図例では、後側部３６の下面３７から凹溝部３１の溝底３２までの上下寸法ｄ２を、前側部３８の下面３９から凹溝部３１の溝底３２までの上下寸法ｄ１の略１／３とした例を示している。また、上枠部材３０の後側部３６の上下寸法ｔ２を、前側部３８の上下寸法ｔ１の略１／２の寸法としている。なお、このような上下寸法ｔ１，ｔ２は、上枠部材３０の凹溝部３１の上方側部位の上下寸法等に応じて、適宜、設定するようにしてもよい。
【００３０】
また、本実施形態では、図２に示すように、レール部材２１の両側壁部２３，２７における上枠部材３０の凹溝部３１の対応する溝側面３４，３３にそれぞれ当接する部位間の幅方向に沿う寸法ｗ１を、凹溝部３１の溝幅寸法ｗ（両溝側面３３，３４間の寸法）よりも僅かに大きい寸法としている。
本実施形態では、上記のように、レール部材２１の前側壁部２７の外側面２７ａを傾斜面とし、上枠部材３０の後側部３６の上下寸法ｔ２を前側部３８の上下寸法ｔ１よりも小さくしている。従って、レール部材２１の突出片部２９の上側の前側壁部２７の下側部位が、凹溝部３１の対応する溝側面３３との当接部位となり、レール部材２１の凸片部２４の下側の後側壁部２３の上側部位が、凹溝部３１の対応する溝側面３４との当接部位となる。このレール部材２１の突出片部２９の上側の前側壁部２７の下側部位から凸片部２４の下側の後側壁部２３の上側部位までの幅寸法ｗ１を、凹溝部３１の溝幅寸法ｗよりも僅かに大きい寸法としている。
このような構成により、上枠２０は、レール部材２１を上枠部材３０に仮保持可能な構成としている。つまり、レール部材２１の後側壁部２３側にのみ設けた凸片部２４を上枠部材３０の後側部３６側の係合凹部３５に引っ掛け、レール部材２１の前側壁部２７の外側面２７ａを上枠部材３０の凹溝部３１の対応する溝側面３３に押圧させることで、レール部材２１を上枠部材３０に仮保持可能な構成としている。
【００３１】
なお、開口枠を構成する一対の縦枠３，３、下枠４及び上枠部材３０は、合板やＬＶＬ等の木質積層板、パーティクルボード等の木質ボード、またはインシュレーションボードやＭＤＦ（中密度繊維板）等の木質繊維板などの木質系材料から形成されたものとしてもよい。または、合成樹脂系材料や金属系材料等から形成されたものとしてもよい。
また、上枠部材３０は、切削加工等によって、凹溝部３１や係合凹部３５等を含んだ上記のような形状となるように一体的に形成されたものとしてもよい。
また、施工した状態で少なくとも上枠部材３０の露出する部位に、突板や樹脂シート等の化粧シートの貼着や、塗装等によって表面化粧処理を施すようにしてもよい。
また、凸片部２４は、レール部材２１の長手方向に沿って適宜の間隔を空けて複数設けるようにしてもよい。
【００３２】
次に、上記構成とされた建具装置１の施工手順の一例について説明する。
まず、開口部７に、枠組みされた戸枠２を固定する。この際、例えば、上枠部材３０及び下枠４のそれぞれの長手方向の各端面に、各縦枠３，３の上端部内側面を当接させ、各縦枠３，３の外側面側からねじや釘等の止具を上枠部材３０及び下枠４にねじ込む（または打ち込む）ことで枠組みするようにしてもよい。なお、この上枠部材３０は、レール部材２１を固定していない状態の上枠部材３０である。
【００３３】
また、図３（ａ）に示すように、上枠２０のレール部材２１に、折戸１０に非連結状態とされたランナー部材１３のローラー１５を収容保持させる。この状態で、レール部材２１を、凸片部２４を上枠部材３０の係合凹部３５に引っ掛け、上枠部材３０に仮保持させる（図３（ｂ）も参照）。
この際、レール部材２１を、図３（ａ）に示すように、長手方向軸廻りに回動させるようにして凸片部２４側を上方側にするように斜め状にし、凸片部２４を上枠部材３０の係合凹部３５に引っ掛けるようにしてもよい。次いで、レール部材２１を、図３（ｂ）に示すように、略水平状となるように長手方向軸廻りに上記とは逆方向に回動させ、レール部材２１を上枠部材３０に仮保持させるようにしてもよい。この際、レール部材２１の反凸片部側の前側壁部２７の弾性変形を伴い回動させるようにしてもよい。
なお、上記した係合凹部３５の下方側の突出片部は、レール部材２１を上枠部材３０に仮保持させた状態で、破断等しないよう適宜の突出寸法や厚さ寸法とされている。
【００３４】
次いで、図１に示すように、レール部材２１の上板部２２を、ねじ等の止具８によって上枠部材３０に固定する。
また、必要に応じて、下枠４に下レール６を固定する。
また、レール部材２１に収容保持されたランナー部材１３，１３に、折戸１０の各戸板１１，１２の上端部をそれぞれ連結する。この際、折戸１０の各戸板１１，１２の下端に固定された下部ランナー１６，１６を、下レール６に係合させた状態で行うようにしてもよい。このような手順により、折戸１０を戸枠２に対して建て付けるようにしてもよい。
なお、上記施工手順は一例であり、各部材、各部の機能を阻害しない限りにおいて、別手順でなされるようにしてもよい。
【００３５】
本実施形態に係る上枠２０は、上述のような構成としたことで、レール部材２１の仮保持性を向上させることができる。
つまり、上枠部材３０の凹溝部３１の溝底３２の溝幅方向隅部に係合凹部３５を形成し、この係合凹部３５に引っ掛けられる凸片部２４をレール部材２１の幅方向上端角部に設けている。従って、レール部材２１の凸片部２４を上枠部材３０の係合凹部３５に引っ掛けて、レール部材２１を上枠部材３０に仮保持させた状態で、レール部材２１を上枠部材３０にねじ等の止具８によって固定することができるので、施工性を向上させることができる。また、レール部材２１の凸片部２４を上枠部材３０の係合凹部３５に引っ掛けることができるので、上枠の凹溝の両側壁内面と上レールの両側壁外面との摩擦抵抗力によって上レールを上枠の凹溝に仮保持させるようなものと比べて、レール部材２１の仮保持性を向上させることができる。
【００３６】
また、本実施形態では、レール部材２１を、幅方向の一角部にのみ凸片部２４を設け、この凸片部２４が形成された側とは異なる幅方向側面（前側壁部２７の外側面）２７ａを上記のように傾斜する傾斜面とした構造としている。従って、レール部材２１を、上記のように、凸片部２４側を上方側にするように斜め状にし、凸片部２４を上枠部材３０の係合凹部３５に引っ掛ける際に、レール部材２１の反凸片部２４側の側面（前側壁部２７の外側面２７ａ）の上側部位が、上枠部材３０の凹溝部３１の対応する溝側面３３や開口縁等に干渉し難くなる。これにより、レール部材２１の凹溝部３１への挿入性を向上させることができる。また、レール部材２１の前側壁部２７の外側面２７ａの下端側部位を、上枠部材３０の凹溝部３１の対応する溝側面３３に押圧させ易くすることができ、レール部材２１の仮保持性を向上させることができる。つまり、上記構成とすれば、上枠部材３０の凹溝部３１へのレール部材２１の挿入性を向上させながらも仮保持性を向上させることができる。
なお、このような態様に代えて、この前側壁部２７の外側面２７ａを、レール部材２１の上板部２２の上面に略直交する垂直面としてもよい。
【００３７】
また、本実施形態では、レール部材２１の前側壁部２７側の上端に面取り状部を設けているので、上記のように仮保持させる際におけるレール部材２１の上枠部材３０の凹溝部３１への挿入性をより向上させることができる。なお、このような面取り状部を設けないようにしてもよい。
【００３８】
また、本実施形態では、上枠部材３０を、レール部材２１の凸片部２４が引っ掛けられる係合凹部３５を凹溝部３１の少なくとも溝幅方向一方側隅部に設けた構造としている。また、上枠部材３０を、レール部材２１の幅方向一方側部（後側壁部）２３の下側部位を露出させるように凹溝部３１よりも幅方向一方側部（後側部）３６の上下寸法ｔ２を、凹溝部３１よりも幅方向他方側部（前側部）３８の上下寸法ｔ１よりも小さくしている。従って、上枠部材３０の後側部３６の下方側に、上記のような前側部３８との上下寸法差に応じた空間が形成されることとなる。これにより、上記のようにレール部材２１を、凸片部２４側を上方側にするように斜め状にして上枠部材３０の凹溝部３１に挿入する際に、レール部材２１の凸片部２４側となる後側壁部２３の下側部位と上枠部材３０（後側部３６）との干渉を抑制することができ、挿入性を向上させることができる。
【００３９】
つまり、本実施形態のように、レール部材２１の凸片部２４を後側壁部２３側の角部にのみ設けた場合には、上枠部材３０の後側部３６の下方側の空間にレール部材２１の凸片部２４側の下側部位を受け入れさせるようにしてレール部材２１を斜め状にすることができる。これにより、レール部材２１の凸片部２４を上枠部材３０の係合凹部３５に引っ掛け易くすることができる。また、これにより、レール部材２１の前側壁部２７の外側面２７ａを、上枠部材２１の凹溝部３１の対応する溝側面３３に効果的に押圧させることもでき、仮保持性を向上させることができる。
また、上枠部材３０を、レール部材２１の前側壁部２７を覆うように形成している。従って、本実施形態のように、上枠２０を、収納室Ａとの出入口９の上枠部分に配設されるものとし、レール部材２１の露出する側が収納室Ａ側となるように上枠２０を配設した場合にも反収納室側空間Ｂ側における上枠２０の見栄えを損なうことがない。
【００４０】
また、本実施形態では、上枠部材３０の後側部３６の下面３７から凹溝部３１の溝底３２までの上下寸法ｄ２を上枠部材３０の前側部３８の下面３９から凹溝部３１の溝底３２までの上下寸法ｄ１の１／２以下としている。従って、レール部材２１の後側部３６の下半分以上が露出することとなり、挿入性及び仮保持性を効果的に向上させることができる。
なお、上記したような態様に加えて、レール部材２１の前側壁部２７の下側部位も露出させるように前側部３８の上下寸法を、上記よりも小さい寸法としてもよい。例えば、前側部３８の上下寸法と後側部３６の上下寸法とを互いに略同寸法としてもよい。または、これら前側部３８及び後側部３６の上下寸法を、それぞれレール部材２１の後側壁部２３及び前側壁部２７の略全体を覆う寸法としてもよい。
【００４１】
また、本実施形態に係る建具装置１は、上記した上枠２０を備えているので、建具装置１全体としての施工性を向上させることができる。
【００４２】
なお、本実施形態では、レール部材２１の後側壁部２３側にのみ設けた凸片部２４を上枠部材３０の後側部３６側の係合凹部３５に引っ掛け、レール部材２１の前側壁部２７の外側面２７ａを上枠部材３０の凹溝部３１の対応する溝側面３３に押圧させることで、レール部材２１を上枠部材３０に仮保持可能な構成とした例を示しているが、このような態様に限定されない。レール部材２１の幅方向両角部に設けた凸片部２４，２４を、上枠部材３０の凹溝部３１の溝幅方向両側に設けた係合凹部３５，３５にそれぞれ引っ掛けることで、レール部材２１を上枠部材３０に仮保持可能な構成としてもよい。この場合は、レール部材２１の幅方向一方側の凸片部２４側が上側となるように斜め状にし、この上側の凸片部２４を、上枠部材３０の対応する係合凹部３５に引っ掛け、幅方向他方側の凸片部２４を対応する係合凹部３５に引っ掛けて、いわゆるけんどん式状にレール部材２１を上枠部材３０の凹溝部３１に仮保持させるようにしてもよい。このように、レール部材２１の幅方向両側の凸片部２４，２４を、上枠部材３０の両側の係合凹部３５，３５に引っ掛けて仮保持させることで、上記同様、従来のものと比べて、仮保持性を向上させることができる。なお、このように、けんどん式状にレール部材２１を上枠部材３０に仮保持させる際には、上側の凸片部２４が設けられた側のレール部材２１の側壁部の弾性変形を伴い、レール部材２１を上枠部材３０に仮保持させるようにしてもよい。また、このような構成とした場合にも、上記同様、上枠部材３０の後側部３６の上下寸法ｔ２を前側部３８の上下寸法ｔ１よりも小さくすることで、レール部材２１の挿入性を向上させながらも、仮保持性を向上させることができる。
【００４３】
また、本実施形態では、上枠部材３０を固定枠状とした例を示しているが、この態様に限定されない。上枠部材３０としては、ケーシング額縁を備えたいわゆるケーシング枠状のものとしてもよい。または、上枠部材３０を、固定した状態でその前端面と内壁の壁面とが略面一となるように配設されるものとしてもよい。この場合は、内壁の壁面と上枠部材３０の前端面とに一連状に壁クロス等の表面仕上材を貼着するようにしてもよい。
【００４４】
また、本実施形態では、下レール６を、下枠４の凹溝部５に嵌め込んだ例を示しているが、この態様に限定されず、例えば、床等に直接的に埋め込まれるものとしてもよい。または、このような下レール６を設けない態様としてもよく、この場合は、折戸１０の下端部に下部ランナー１６を設けないようにしてもよい。
また、折戸１０の上端部に設けられるランナー部材１３としては、上記したような態様に限られず、略垂直軸廻りに回動するローラーを備えたもの等、種々の態様とされたものとしてもよい。
また、本実施形態では、レール部材２１に案内される建具１０として折戸１０を例示しているが、このような態様に限られない。建具１０としては、折戸１０に限られず、例えば、引戸や、間仕切壁等を建具としてもよい。この場合は、建具装置１の納め態様（袖壁納めや戸袋納め等）に応じて、上枠部材３０等の形状を適宜変形するようにしてもよい。また、引き違い状に配設される複数枚の建具１０を備えたようなものでは、レール部材２１にこれら建具１０をガイドする複数のガイド溝を設けるようにしてもよい。
また、本実施形態では、建具１０を上吊り構造とした例を示しているが、この態様に限定されない。例えば、建具１０の下端部に戸車等の転動体を設けた下荷重構造としてもよい。この場合は、上記のようなローラー等を備えたランナー部材１３に代えて、レール部材２１のガイド溝に挿入されてガイドされる片状や軸状（ピン状）の上ガイド部を建具１０の上端に設けた構造としてもよい。
【符号の説明】
【００４５】
１          建具装置
１０        折戸（建具）
２０        上枠
２１        レール部材
２３        後側壁部（幅方向一方側部）
２４        凸片部
２７        前側壁部（幅方向他方側部）
２７ａ      前側壁部の外側面（凸片部を設けた側とは異なる幅方向側面）
３０        上枠部材
３１        凹溝部
３２        溝底
３５        係合凹部
３６        後側部（係合凹部が少なくとも設けられた側となる凹溝部よりも幅方向一方側部）
３７        後側部の下面（幅方向一方側部の下面）
３８        前側部（凹溝部よりも幅方向他方側部）
３９        前側部の下面（幅方向他方側部の下面）
ｔ１        前側部の上下寸法
ｔ２        後側部の上下寸法
ｄ１        前側部の下面から凹溝部の溝底までの上下寸法
ｄ２        後側部の下面から凹溝部の溝底までの上下寸法 
【図１】
2014177747.tif 000003
【図２】
2014177747.tif 000004
【図３】
2014177747.tif 000005
【図４】
2014177747.tif 000006